【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
モバイルデバイスにおいて複数の画像を受信するステップと、
前記複数の画像の各々の中のデータを認識するステップであって、
前記複数の画像に対して光学式文字認識を実施するステップ、および
前記複数の画像の各々に対する前記認識されたデータを含むシーン記述子を生成するステップを含む、認識するステップと、
前記認識されたデータに少なくとも部分的に基づいて、前記複数の画像のうち少なくとも2つの画像が、第1のシーンにある情報を含むと、前記少なくとも2つの画像の各々に対する前記認識されたデータを含む前記シーン記述子を比較し、前記少なくとも2つの画像が前記第1のシーンに関連付けられることを判断することにより、判断するステップと、
前記少なくとも2つの画像のうち少なくとも1つの画像、および前記少なくとも1つの画像に関連付けられた前記認識されたデータを使って、前記第1のシーンを表す最終画像を記憶するステップであって、前記少なくとも2つの画像の他の画像データが、前記最終画像の一部として記憶されない、ステップと、
前記第1のシーンを表す前記最終画像を、前記モバイルデバイス上で表示するステップとを含む方法。
【請求項２】
前記複数の画像のうち前記少なくとも1つの画像、および前記少なくとも1つの画像についての前記認識されたデータの記憶は、後続画像がキャプチャされ、前記後続画像中でデータが認識される間、維持される、請求項1に記載の方法。
【請求項３】
前記最終画像を記憶するのに先立って、前記方法が、前記少なくとも2つの画像と、前記少なくとも2つの画像に関連付けられた前記認識されたデータとを使って、前記最終画像を合成するステップをさらに含み、前記記憶は、前記合成された画像の記憶を含む、請求項1に記載の方法。
【請求項４】
合成する前記ステップが、前記少なくとも2つの画像のうち第2の画像にある要素を前記少なくとも1つの画像に組み込んで、前記最終画像を作成するステップを含む、請求項3に記載の方法。
【請求項５】
前記最終画像が前記少なくとも1つの画像を含み、合成する前記ステップが、前記少なくとも2つの画像のうち第2の画像の前記認識されたデータを、前記少なくとも1つの画像の前記認識されたデータに組み込むステップを含む、請求項3に記載の方法。
【請求項６】
前記最終画像を記憶するのに先立って、前記方法が、前記最終画像として前記第1のシーンを表すための前記少なくとも1つの画像を、前記少なくとも2つの画像から選択するステップをさらに含み、記憶する前記ステップが、前記選択された画像を記憶するステップを含む、請求項1に記載の方法。
【請求項７】
選択する前記ステップが、前記少なくとも2つの画像の各々のエネルギーを比較するステップを含む、請求項6に記載の方法。
【請求項８】
各画像中で認識されたいくつかのグラフィカルオブジェクトと、前記いくつかのグラフィカルオブジェクトの各々の前記認識の信頼度とに基づいて、前記少なくとも2つの画像の各々の前記エネルギーを算出するステップをさらに含む、請求項7に記載の方法。
【請求項９】
判断する前記ステップが、前記少なくとも2つの画像の各々におけるグラフィカルオブジェクト値、グラフィカルオブジェクト色、背景色および前景色のうち1つまたは複数を比較するステップを含む、請求項1に記載の方法。
【請求項１０】
前記複数の画像のうち1つまたは複数の画像が、前記第1のシーン以外の1つまたは複数のシーンにある情報を含むと判断するステップと、前記最終画像および前記1つもしくは複数のシーンをそれぞれが表す1つもしくは複数の画像を表示する、または前記少なくとも1つの画像についての、および前記1つもしくは複数のシーンについての前記認識されたデータを表示するステップとをさらに含む、請求項1に記載の方法。
【請求項１１】
ユーザが前記表示された画像のうち1つまたは前記1つの画像についての表示される認識データを選択したと判断するステップと、前記選択された画像または認識されたデータに関連した情報をプログラムまたはアプリケーションに入力するステップとをさらに含む、請求項10に記載の方法。
【請求項１２】
前記最終画像を記憶するのに先立って、前記方法が、
前記第1のシーンにある2つ以上の画像のうちの第1の画像から、グレアのある第1の領域を識別するステップと、
前記第1のシーンにある前記2つ以上の画像のうちの第2の画像から、グレアのない第2の領域を識別するステップであって、前記第1の領域および前記第2の領域が、前記第1のシーンの同じ領域を表す、ステップと、
前記第1の画像および前記第2の画像からのグレアのない前記第2の領域を使って、グレアが低減された前記最終画像を合成するステップとをさらに含む、請求項1に記載の方法。
【請求項１３】
プロセッサによって実行可能な命令を含む非一時的コンピュータ可読記憶媒体であって、前記命令が、
複数の画像を受信するための命令と、
前記複数の画像の各々の中のデータを認識するための命令であって、前記複数の画像の各々の中のデータを認識することが、
前記複数の画像に対して光学式文字認識を実施すること、および
前記複数の画像の各々に対する前記認識されたデータを含むシーン記述子を生成することを含む、命令と、
前記認識されたデータに少なくとも部分的に基づいて、前記複数の画像のうち少なくとも2つの画像が、第1のシーンにある情報を含むと、前記少なくとも2つの画像の各々に対する前記認識されたデータを含む前記シーン記述子を比較し、前記少なくとも2つの画像が前記第1のシーンに関連付けられることを判断することにより、判断するための命令と、
前記少なくとも2つの画像のうち少なくとも1つの画像、および前記少なくとも1つの画像に関連付けられた前記認識されたデータを使って、前記第1のシーンを表す最終画像を記憶するための命令であって、前記少なくとも2つの画像の他の画像データが、前記最終画像の一部として記憶されない、命令と、
前記第1のシーンを表す前記最終画像を表示するための命令とを含む、非一時的コンピュータ可読記憶媒体。
【請求項１４】
モバイルデバイスにおいて複数の画像を受信するための手段と、
前記複数の画像の各々の中のデータを認識するための手段であって、前記複数の画像の各々の中のデータを認識することが、
前記複数の画像に対して光学式文字認識を実施すること、および
前記複数の画像の各々に対する前記認識されたデータを含むシーン記述子を生成することを含む、手段と、
前記認識されたデータに少なくとも部分的に基づいて、前記複数の画像のうち少なくとも2つの画像が、第1のシーンにある情報を含むと、前記少なくとも2つの画像の各々に対する前記認識されたデータを含む前記シーン記述子を比較し、前記少なくとも2つの画像が前記第1のシーンに関連付けられることを判断することにより、判断するための手段と、
前記少なくとも2つの画像のうち少なくとも1つの画像、および前記少なくとも1つの画像に関連付けられた前記認識されたデータを使って、前記第1のシーンを表す最終画像を記憶するための手段であって、前記少なくとも2つの画像の他の画像データが、前記最終画像の一部として記憶されない、手段と、
前記第1のシーンを表す前記最終画像を、前記モバイルデバイス上で表示するための手段とを備える装置。
【請求項１５】
前記装置がモバイルデバイスを含み、
前記受信するための手段が、複数の画像を受信するように構成された画像モジュールを含み、
前記認識するための手段が、光学式文字認識を使って、前記複数の画像の各々の中のデータを認識するように構成されたOCRエンジンを含み、
前記判断するための手段が、前記認識されたデータに少なくとも部分的に基づいて、前記複数の画像のうち少なくとも2つの画像が、前記第1のシーンにある情報を含むと判断するように構成された照合モジュールを含み、
前記記憶するための手段が、前記少なくとも2つの画像のうち少なくとも1つの画像、および前記少なくとも1つの画像に関連付けられた前記認識されたデータを使って、前記第1のシーンを表す前記最終画像を記憶するように構成された統合モジュールを含み、
前記表示するための手段が、前記第1のシーンを表す前記最終画像を、モバイルデバイス上で表示するように構成された表示モジュールを含む、請求項14に記載の装置。